(57)【要約】  【課題】  コネクタ本体が、低背で且つ復数の端子列を有する幅寸法の広いものであっても、プラグ嵌合部を覆うシャッターの装着を可能にする。  【解決手段】  第１の押開きガイド３２の傾斜ガイド面部４６Ｂ、４６Ｃが第１の摺接部２０の摺接点ロに接触することで発生する回転モーメントＭ１が、一対のシャッター部材１６、１７を回動させて所定の開度に開き、次に、第２の押開きガイド４３の傾斜ガイド面部４３Ｂ、４３Ｃが第２の摺接部２１の摺接点ハに接触することで発生する回転モーメントＭ２が、一対のシャッター部材１６、１７を回動させて更に開度を広げてプラグ嵌合部１０を解放する。【選択図】  図１
2006049081.tif 000002
【特許請求の範囲】
【請求項１】
一方のコネクタの相手コネクタ嵌合部がシャッターで閉ざされていて、このシャッターを開くことで前記相手コネクタ嵌合部を開放して、この相手コネクタ嵌合部に他方のコネクタを嵌合することで前記一方及び他方のコネクタを互いに結合するようにした電気コネクタであって、
前記一方のコネクタに前記シャッターを設け、前記シャッターを、前記相手コネクタ嵌合部を覆うシャッター部を有する一対のシャッター部材で構成し、
前記一対のシャッター部材が、シャッター開放手段により小さい開度から大きい開度に複数段階に分けて押し開かれるようにしたことを特徴とする電気コネクタ。
【請求項２】
前記シャッター開放手段を前記他方のコネクタに設けたことを特徴とする請求項１に記載の電気コネクタ。
【請求項３】
前記一対のシャッター部材に複数のガイド摺接部を設け、前記シャッター開放手段は、前記摺接部のそれぞれに時間差をおいて順次摺接して前記一対のシャッター部材を押し開く複数の押開きガイドを有することを特徴とする請求項１又は請求項２に記載の電気コネクタ。
【請求項４】
前記ガイド摺接部は、前記シャッター部の短手方向の辺縁部にそれぞれ設けられた第１の摺接部と第２の摺接部とであり、
前記押開きガイドは、前記第１の摺接部に摺接して前記一対のシャッター部材を所定の開度に押し開く第１の押開きガイドと、前記第２の摺接部に摺接して前記一対のシャッター部材を前記第１の押開きガイドによる前記開度より大きい開度に押し開く第２の押開きガイドとを有することを特徴とする請求項３に記載の電気コネクタ。
【請求項５】
前記第１の摺接部は、シャッター部の内側辺部に形成された一対の舌片部の先端部を摺接点にして構成してあり、前記第２の摺接部は、前記内側辺部を摺接点にして構成してあって、前記第２の摺接部の前記摺接点は前記第１の摺接部の前記摺接点よりもシャッター中心に位置しており、
前記第１、第２の押開きガイドの先端部は山形状にしてあって、それぞれに頂部と、この頂部を挟んで互いに逆向きの傾斜ガイド面部とを有していて、前記第１の押開きガイドの前記傾斜ガイド面部の傾斜角度は前記第２の押開きガイドの前記傾斜ガイド面部の傾斜角度より大きくしてあり、
前記第１の押開きガイドの前記傾斜ガイド面部が前記第１の摺接部の前記摺接点に接触した時点で、前記傾斜ガイド面部に垂直な方向に発生した作用力が、前記一対のシャッター部材を、その回動中心を支点にして前記シャッター中心とは反対側に回動させ、
前記第２の押開きガイドの前記傾斜ガイド面部が前記第２の摺接部の前記摺接点に接触した時点で、前記傾斜ガイド面部に垂直な方向に発生した作用力が、前記一対のシャッター部材を、その回動中心を支点にして前記シャッター中心とは反対側に回動させることを特徴とする請求項４に記載の電気コネクタ。
【請求項６】
前記一方のコネクタは、その両方の端壁部に、ストッパと、このストッパの両側方に位置する支承部を有しており、前記シャッター部の長手方向の両端部にはアーム部が設けてあって、これらのアーム部にはアーム側ストッパ部が設けてあり、
前記一対のシャッター部材は、前記アーム部が前記支承部に回転可能に支承されて前記一方のコネクタに取り付けてあり、
前記一対のシャッター部材はばね部材の引張力により互いに接近させられていて前記アーム側ストッパ部を前記ストッパに当接させ、前記第１、第２の摺接部のそれぞれを互いに近接させた状態で前記相手コネクタ嵌合部を閉じていることを特徴とする請求項５に記載の電気コネクタ。
【請求項７】
前記一方のコネクタの両方の端壁部に前記ばね部材の中間部を支えるばね保持部を設けて、前記シャッター部材の開動作時の前記ばね部材の反転を防ぐようにしたことを特徴とする請求項６に記載の電気コネクタ。
【請求項８】
前記他方のコネクタの長手方向の両端部には、前記第２の押開きガイドが突設してあり、前記他方のコネクタの長手方向の両端部には、前記第２の押開きガイドに並べてガイド摺動孔部が形成してあり、このガイド摺動孔部に前記第１の押開きガイドが摺動可能に挿入してあって、前記第１の押開きガイドは、その先部を前記第２の押開きガイドより外方に突出させた状態で、ばね部材により保持されていることを特徴とする請求項４に記載の電気コネクタ。
【請求項９】
前記第１の押開きガイドと前記第２の押開きガイドとは一体になって押開きガイドユニットを構成しており、前記他方のコネクタの長手方向の両端部にはガイドユニット摺動孔部が形成してあり、このガイドユニット摺動孔部に前記押開きガイドユニットが摺動可能に挿入してあって、この押開きガイドユニットは、前記第１及び第２の押開きガイドのそれぞれの先部を前記ガイドユニット摺動孔部から外方に突出させた状態で、ばね部材により保持されていることを特徴とする請求項４に記載の電気コネクタ。
【請求項１０】
前記一方のコネクタに、前記相手コネクタ嵌合部側に位置させて位置合せ用突起部を突設し、
前記他方のコネクタに、前記一方及び他方のコネクタの結合時に、前記位置合せ用突起部が挿入される相手突起挿入部を設け、この相手突起挿入部の縁部に、前記位置合せ用突起部を前記相手突起挿入部に案内する案内部を設けるようにしたことを特徴とする請求項１乃至請求項９に記載の電気コネクタ。
【請求項１１】
前記一方のコネクタが、相手コネクタ嵌合部を有する絶縁ハウジングに複数列の端子保持部を設けた低背の多極コネクタであることを特徴とすることを特徴とする請求項１乃至請求項１０のいずれかの一に記載の電気コネクタ。
【発明の詳細な説明】
【技術分野】
【０００１】
本発明は、ノート型パーソナルコンピュータのような携帯型情報処理装置等を拡張用ハードディスクのようなＣＤ−ＲＯＭ装置等に接続するための多極コネクタ等の電気コネクタに関する。
【背景技術】
【０００２】
従来の、この種の電気コネクタとしては、特許文献１に述べられているように、図２０に示す電気コネクタが提案されている。この電気コネクタは、携帯型情報処理装置に装着されたレセプタクル５１と、このレセプタクル５１に係脱可能に結合するプラグ６０とより構成してある。
【０００３】
レセプタクル５１にはプラグ嵌合部（図示せず）が設けてあり、また、レセプタクル５１には、プラグ嵌合部の防塵又は金属クリップの浸入を防止するための一対のシャッター部材５４、５５が設けてあり、これら一対のシャッター部材５４、５５は、それぞれの両端部にアーム部５６を有していて、これらのアーム部５６には支承孔５７が設けてあり、また、レセプタクル５１の両端壁部には支軸部５８が設けてあって、支軸部５８に支承孔５７を回転可能に支承させて一対のシャッター部材５４、５５がレセプタクル５１に配置してある。
【０００４】
そして、一方のシャッター部材５４のばね係止部５４Ａには、ばね部材５９の一端部が係止してあり、また、他方のシャッター部材５５のばね係止部５５Ａにはばね部材５９の他端部が係止してあって、このばね部材５９の引張力により一方及び他方のシャッター部材５４、５５は互いに内方に引かれていて、ストッパ部５４Ｂ、５５Ｂがストッパ５１Ｂに当接し、両シャッター部材５４、５５は、それぞれの内側辺縁部５４ａ、５５ａを近接させた状態で閉じていて、プラグ嵌合部を閉ざしている。
【０００５】
また、プラグ６０はＣＤ−ＲＯＭ装置の筐体（図示せず）に装着してあり、このプラグ６０の両端部にはピン形状のガイド部材６１が配置してある。
【０００６】
そして、ＣＤ−ＲＯＭ装置に携帯型情報処理装置を接続させる場合には、携帯型情報処理装置をＣＤ−ＲＯＭ装置に載せるように、この携帯型情報処理装置をＣＤ−ＲＯＭ装置に近付けると、ガイド部材６１の先端部が、シャッター部材５４、５５のそれぞれの内側辺縁部５４ａ、５５ａに当たり、シャッター部材５４、５５が支軸部５８を支点にしてばね部材５９の引長力に抗して外方に回動して観音開き状に開かれて、レセプタクル５１のプラグ嵌合部を開放する。
【０００７】
次に、プラグ６０がレセプタクル５１のプラグ嵌合部に嵌合して、レセプタクル５１の信号端子（図示せず）がプラグ６０の信号端子（図示せず）に接触してレセプタクル５１がプラグ６０に結合される。
【０００８】
また、ＣＤ−ＲＯＭ装置から携帯型情報処理装置を切り離す場合には、レセプタクル５１をプラグ６０から外すことで行われる。すなわち、携帯型情報処理装置をＣＤ−ＲＯＭ装置に対して持ち上げると、ガイド部材６１がシャッター部材５４、５５のそれぞれの内側辺縁部５４ａ、５５ａ間から抜け出し、プラグ６０がレセプタクル５１のプラグ嵌合部から抜け出し、両信号端子の接触が解除されてレセプタクル５１とプラグ６０との結合が解除される。
【０００９】
そして、シャッター部材５４、５５が、ばね部材５９のばね力により支軸部５８を支点にして内方に回動して、シャッター部材５４、５５が閉じてレセプタクル５１のプラグ嵌合部が覆われる。
【００１０】
また、従来の電気コネクタとしては、特許文献２に述べられている電気コネクタが提案されている。この電気コネクタにおけるシャッター（フラップ）は、ノート型パーソナルコンピュータのハウジングに形成された開口を開閉する一対のシャッター部材と、シャッター部材に屈曲形成されたアーム部をハウジングにそれぞれ回動可能に支持する第１軸部及び第２軸部と、シャッター部材の付合せ面に形成された挿入口と、外側から挿入口へ挿入される開放ピンとを備えていて、第１軸部及び第２軸部の位置は、一対のシャッター部材をハウジングの外部へ向けて開放させる回転モーメントが内部へ向けて開放させる回転モーメントよりも大きいように、アーム部の背の高さに応じて設定されていて、アーム部の背の高さを低くすることを可能にし、シャッターを薄型化するようにしたものである。
【特許文献１】特開２００３−１３３０１２号公報
【特許文献２】特開２００１−３１３１１５号公報
【発明の開示】
【発明が解決しようとする課題】
【００１１】
携帯型情報処理装置は、益々小型化、薄型化される傾向にあり、このために、この携帯型情報処理装置に装着される電気コネクタには、小型化、薄型化が要求され、また、高速通信等を可能にするために多極化が要求される。この電気コネクタの多極化では、レセプタクルの端子列を複数にして、このレセプタクルの高さを低くしたままレセプタクルの幅寸法を広くすることが要求される。
【００１２】
しかしながら、上記した前者の従来の電気コネクタにあっては、一対のシャッター部材５４、５５のそれぞれのアーム部５６を支承する支軸部５８がレセプタクル５１の中心ａ付近に設置してあるために、複数の端子列を有する、幅寸法の広いレセプタクルに適用するシャッターにするためには、アーム部５６の背の高さ寸法を大きくすることが必要であるが、アーム部５６の背の高さ寸法を大きくした場合、一対のシャッター部材５４、５５の高さが大きくなって、電気コネクタの低背化に反することになる一方、一対のシャッター部材５４、５５を開くと、シャッター部材５４、５５がコネクタハウジングに干渉して一対のシャッター部材５４、５５を完全に開くことができない状態になり、結果として、レセプタクルの高さを低くしたままレセプタクルの幅寸法Ｈを広くすることができないという問題があった。
【００１３】
また、上記した後者の従来の電気コネクタにあっては、第１軸部及び第２軸部の位置は、一対のシャッター部材をハウジングの外部へ向けて開放させる回転モーメントが内部へ向けて開放させる回転モーメントよりも大きいように、アーム部の背の高さに応じて設定されているが、単一の回転モーメントで一対のシャッター部材を回転させているために、複数の端子列を有する幅寸法の広いレセプタクルのシャッターにするためには、アーム部の背の高さ寸法を大きくすることが必要になり、上記した前者の従来の電気コネクタの場合と同様に、アーム部の背の高さ寸法を大きくした場合、一対のシャッター部材の高さが大きくなって、電気コネクタの低背化に反することになる一方、一対のシャッター部材を開くと、シャッター部材がコネクタハウジングに干渉して一対のシャッター部材を完全に開くことができない状態になり、結果として、レセプタクルの高さを低くしたままレセプタクルの幅寸法Ｈを広くすることができないという問題があった。
【００１４】
本発明は上記問題点に解決するものであり、その目的とするところは、コネクタ本体が、低背で且つ復数の端子列を有する幅寸法の広いものであっても、相手コネクタ嵌合部を覆い且つ容易に開閉できるシャッターを装着することができる電気コネクタを提供することにある。
【課題を解決するための手段】
【００１５】
上記の目的を達成するために、本発明に係る電気コネクタは、一方のコネクタの相手コネクタ嵌合部がシャッターで閉ざされていて、このシャッターを開くことで相手コネクタ嵌合部を開放して、この相手コネクタ嵌合部に他方のコネクタを嵌合することで一方及び他方のコネクタを互いに結合するようにした電気コネクタであって、一方のコネクタにシャッターを設け、シャッターを、相手コネクタ嵌合部を覆うシャッター部を有する一対のシャッター部材で構成し、一対のシャッター部材が、シャッター開放手段により小さい開度から大きい開度に複数段階に分けて押し開かれるようにしたものである。
【００１６】
かかる構成により、一対のシャッター部材をシャッター開放手段で開く場合に、小さい開度から大きい開度に複数段階に分けて押し開らくことができるために、コネクタ本体が、低背で且つ復数の端子列を有する幅寸法の広いものであっても、相手コネクタ嵌合部を覆い且つ容易に開閉できるシャッターを装着することができる。
【００１７】
また、本発明に係る電気コネクタは、上記した本発明に係る電気コネクタにおいて、シャッター開放手段を他方のコネクタに設けたものである。
【００１８】
かかる構成により、一方のコネクタに対してシャッター開放手段の位置がずれるということがなく、この位置ずれにより生じていたシャッター動作不良をなくすことができて、一方及び他方のコネクタの互いの結合を円滑に行うことができるばかりか、シャッター開放手段を含むシャッター機構が占めるスペースが小さくなると共に、部品点数が少なくなる。
【００１９】
また、本発明に係る電気コネクタは、上記した本発明に係る電気コネクタにおいて、一対のシャッター部材に複数のガイド摺接部を設け、シャッター開放手段は、摺接部のそれぞれに時間差をおいて順次摺接して一対のシャッター部材を押し開く複数の押開きガイドを有するものである。
【００２０】
かかる構成により、押開きガイドのうちの一つがガイド摺接部のうちの一つに摺接して一対のシャッター部材を所定の開度に開き、次に、他の押開きガイドが他のガイド摺接部に摺接して一対のシャッター部材の開度を更に広げて、相手コネクタ嵌合部を解放することができる。このために、コネクタ本体が、低背で且つ復数の端子列を有する幅寸法の広いものであっても、相手コネクタ嵌合部を覆い且つ容易に開閉できるシャッターを装着することができる。
【００２１】
また、本発明に係る電気コネクタは、上記した本発明に係る電気コネクタにおいて、ガイド摺接部は、シャッター部の短手方向の辺縁部にそれぞれ設けられた第１の摺接部と第２の摺接部とであり、押開きガイドは、第１の摺接部に摺接して一対のシャッター部材を所定の開度に押し開く第１の押開きガイドと、第２の摺接部に摺接して一対のシャッター部材を第１の押開きガイドによる開度より大きい開度に押し開く第２の押開きガイドとを有するものである。
【００２２】
かかる構成により、第１の押開きガイドが第１のガイド摺接部に摺接して一対のシャッター部材を所定の開度に開き、次に、第２の押開きガイドが第２のガイド摺接部に摺接して一対のシャッター部材の開度を更に広げて相手コネクタ嵌合部を解放することができる。このために、コネクタ本体が、低背で且つ復数の端子列を有する幅寸法の広いものであっても、相手コネクタ嵌合部を覆い且つ容易に開閉できるシャッターを装着することができる。
【００２３】
また、本発明に係る電気コネクタは、上記した本発明に係る電気コネクタにおいて、第１の摺接部は、シャッター部の内側辺部に形成された一対の舌片部の先端部を摺接点にして構成してあり、第２の摺接部は、内側辺部の端側を摺接点として構成してあって、第２の摺接部の摺接点は第１の摺接部の摺接点よりもシャッター中心側に位置しており、第１、第２の押開きガイドの先端部は山形状にしてあって、それぞれに頂部と、この頂部を挟んで互いに逆向きの傾斜ガイド面部とを有していて、第１の押開きガイドの傾斜ガイド面部の傾斜角度は第２の押開きガイドの傾斜ガイド面部の傾斜角度より大きくしてあり、第１の押開きガイドの傾斜ガイド面部が第１の摺接部の摺接点に接触した時点で、傾斜ガイド面部に垂直な方向に発生した作用力が、一対のシャッター部材を、その回動中心を支点にしてシャッター中心とは反対側に回動させ、第２の押開きガイドの傾斜ガイド面部が第２の摺接部の摺接点に接触した時点で、傾斜ガイド面部に垂直な方向に発生した作用力が、一対のシャッター部材を、その回動中心を支点にしてシャッター中心とは反対側に回動させるものである。
【００２４】
かかる構成により、第１の押開きガイドの傾斜ガイド面部が第１の摺接部の摺接点に接触することで傾斜ガイド面部に垂直な方向に作用力が発生して、この作用力が、一対のシャッター部材を、その回動中心を支点にしてシャッター中心とは反対側に回動させて所定の開度に開き、次に、第２の押開きガイドの傾斜ガイド面部が第２の摺接部の摺接点に接触することで傾斜ガイド面部に垂直な方向に作用力が発生して、この作用力が、一対のシャッター部材を、その回動中心を支点にしてシャッター中心とは反対側に回動させて更に開度を広げて相手コネクタ嵌合部を解放することができる。このために、コネクタ本体が、低背で且つ復数の端子列を有する、幅寸法の広いものであっても、相手コネクタ嵌合部を覆い且つ容易に開閉できるシャッターを装着することができる。
【００２５】
また、本発明に係る電気コネクタは、上記した本発明に係る電気コネクタにおいて、一方のコネクタは、その両方の端壁部に、ストッパと、このストッパの両側方に位置する支承部を有しており、シャッター部の長手方向の両端部にはアーム部が設けてあって、これらのアーム部にはアーム側ストッパ部が設けてあり、一対のシャッター部材は、アーム部が支承部に回転可能に支承されて一方のコネクタに取り付けてあり、一対のシャッター部材はばね部材の引張力により互いに接近させられていてアーム側ストッパ部をストッパに当接させ、第１、第２の摺接部のそれぞれを互いに近接させた状態で記相手コネクタ嵌合部を閉じているものである。
【００２６】
かかる構成により、一方のコネクタに他方のコネクタを近付けることで、第１の押開きガイドの傾斜ガイド面部が第１の摺接部の摺接点に接触することで傾斜ガイド面部に垂直な方向に作用力が発生して、この作用力が、一対のシャッター部材を、アーム部の支承部を支点にしてばね部材の引張力に抗してシャッター中心とは反対側に回動させて所定の開度に開き、次に、第２の押開きガイドの傾斜ガイド面部が第２の摺接部の摺接点に接触することで傾斜ガイド面部に垂直な方向に作用力が発生して、この作用力が、一対のシャッター部材を、そのアーム部の支承部を支点にしてばね部材の引張力に抗してシャッター中心とは反対側に回動させて更に開度を広げて相手コネクタ嵌合部を解放することができる。このために、コネクタ本体が、低背で且つ復数の端子列を有する、幅寸法の広いものであっても、相手コネクタ嵌合部を覆い且つ容易に開閉できるシャッターを装着することができる。
【００２７】
また、本発明に係る電気コネクタは、上記した本発明に係る電気コネクタにおいて、一方のコネクタの両方の端壁部にばね部材の中間部を保持するばね保持部を設けて、シャッター部材の開動作時のばね部材の反転を防ぐようにしたものである。
【００２８】
かかる構成により、第１の押開きガイドが第１の摺接部の摺接点に接触することで一対のシャッター部材を、アーム部の支承部を支点にしてばね部材の引張力に抗してシャッター中心とは反対側に回動させて所定の開度に開き、次に、第２の押開きガイドが第２の摺接部の摺接点に接触することで一対のシャッター部材を、そのアーム部の支承部を支点にしてばね部材の引張力に抗してシャッター中心とは反対側に回動させて更に開度を広げて相手コネクタ嵌合部を解放する場合、ばね保持部を、シャッター部材の開動作時のばね部材の反転を防ぐようになるために、シャッター部材の開動作を円滑に行うことができる。
【００２９】
また、本発明に係る電気コネクタは、上記した本発明に係る電気コネクタにおいて、他方のコネクタの長手方向の両端部には、第２の押開きガイドが突設してあり、他方のコネクタの長手方向の両端部には、第２の押開きガイドに並べてガイド摺動孔部が形成してあり、このガイド摺動孔部に第１の押開きガイドが摺動可能に挿入してあって、第１の押開きガイドは、その先部を第２の押開きガイドより外方に突出させた状態で、ばね部材により保持されているものである。
【００３０】
かかる構成により、第１の押開きガイドが一方のコネクタのガイド貫通孔部に貫入して、この第１の押開きガイドの先側が、例えば、プリント基板が形成するストッパに接触して、他方のコネクタが相手コネクタ嵌合部に嵌合される場合、ばね部材は圧縮されて第１の押開きガイドはガイド貫通孔部内に止まるようになる。このために、プリント基板に第１の押開きガイドが貫通する切欠き等を形成する必要がなくなる。
【００３１】
また、本発明に係る電気コネクタは、上記した本発明に係る電気コネクタにおいて、第１の押開きガイドと第２の押開きガイドとは一体になって押開きガイドユニットを構成しており、他方のコネクタの長手方向の両端部にはガイドユニット摺動孔部が形成してあり、このガイドユニット摺動孔部に押開きガイドユニットが摺動可能に挿入してあって、この押開きガイドユニットは、第１及び第２の押開きガイドのそれぞれの先部をガイドユニット摺動孔部から外方に突出させた状態で、ばね部材により保持されているものである。
【００３２】
かかる構成により、押開きガイドユニットが一方のコネクタのガイド貫通孔部に貫入して、この第１の押開きガイドの先側が、例えば、プリント基板が形成するストッパに接触して、他方のコネクタが相手コネクタ嵌合部に嵌合される場合、ばね部材は圧縮されて押開きガイドユニットはガイドユニット摺動孔部内に止まるようになる。このために、プリント基板に第１の押開きガイドが貫通する切欠き等を形成する必要がなくなる。
【００３３】
また、本発明に係る電気コネクタは、上記した本発明に係る電気コネクタにおいて、一方のコネクタに、相手コネクタ嵌合部側に位置させて位置合せ用突起部を突設し、他方のコネクタに、一方及び他方のコネクタの結合時に、位置合せ用突起部が挿入される相手突起挿入部を設け、この相手突起挿入部の縁部に、位置合せ用突起部を相手突起挿入部に案内する案内部を設けるようにしたものである。
【００３４】
かかる構成により、他方のコネクタが、一方のコネクタの相手コネクタ嵌合部に嵌合する際に、一方のコネクタのセンターが他方のコネクタのセンターよりコネクタの長手方向に多少ずれていても、位置合せ用突起部が案内部に当り、位置合せ用突起部が案内部に案内されて相手突起挿入部に挿入するようになって、一方のコネクタのセンターが他方のコネクタのセンターに一致する。このために、一方及び他方のコネクタの互いの結合を円滑に行うことができる。
【００３５】
また、本発明に係る電気コネクタは、上記した本発明に係る電気コネクタにおいて、一方のコネクタが、相手コネクタ嵌合部を有する絶縁ハウジングに複数列の端子保持部を設けた低背の多極コネクタである。
【００３６】
かかる構成により、低背の多極コネクタにシャッターを取り付けることができる。
【発明の効果】
【００３７】
本発明に係る電気コネクタによれば、一対のシャッター部材をシャッター開放手段で開く場合に、小さい開度から大きい開度に複数段階に分けて押し開らくことができるために、コネクタ本体が、低背で且つ復数の端子列を有する幅寸法の広いものであっても、相手コネクタ嵌合部を覆い且つ容易に開閉できるシャッターを装着することができる。
【００３８】
また、本発明に係る電気コネクタによれば、一方のコネクタに対してシャッター開放手段の位置がずれるということがなく、この位置ずれにより生じていたシャッター動作不良をなくすことができて、一方及び他方のコネクタの互いの結合を円滑に行うことができるばかりか、シャッター開放手段を含むシャッター機構が占めるスペースが小さくなると共に、部品点数が少なくなる。
【００３９】
また、本発明に係る電気コネクタによれば、第１の押開きガイドが一方のコネクタのガイド貫通孔部に貫入して、この第１の押開きガイドの先側が、例えば、プリント基板が形成するストッパに接触して、他方のコネクタが相手コネクタ嵌合部に嵌合される場合、ばね部材は圧縮されて第１の押開きガイドはガイド貫通孔部内に止まるようになる。このために、プリント基板に第１の押開きガイドが貫通する切欠き等を形成する必要がなくなる。
【００４０】
また、本発明に係る電気コネクタによれば、押開きガイドユニットが一方のコネクタのガイド貫通孔部に貫入して、この第１の押開きガイドの先側が、例えば、プリント基板が形成するストッパに接触して、他方のコネクタが相手コネクタ嵌合部に嵌合される場合、ばね部材は圧縮されて押開きガイドユニットはガイドユニット摺動孔部内に止まるようになる。このために、プリント基板に第１の押開きガイドが貫通する切欠き等を形成する必要がなくなる。
【００４１】
また、本発明に係る電気コネクタによれば、第１の押開きガイドが第１の摺接部の摺接点に接触することで一対のシャッター部材を、アーム部の支承部を支点にしてばね部材の引張力に抗してシャッター中心とは反対側に回動させて所定の開度に開き、次に、第２の押開きガイドが第２の摺接部の摺接点に接触することで一対のシャッター部材を、そのアーム部の支承部を支点にしてばね部材の引張力に抗してシャッター中心とは反対側に回動させて更に開度を広げて相手コネクタ嵌合部を解放する場合、ばね保持部を、シャッター部材の開動作時のばね部材の反転を防ぐようになるために、シャッター部材の開動作を円滑に行うことができる。
【００４２】
また、本発明に係る電気コネクタによれば、他方のコネクタが、一方のコネクタの相手コネクタ嵌合部に嵌合する際に、一方のコネクタのセンターが他方のコネクタのセンターよりコネクタの長手方向に多少ずれていても、位置合せ用突起部が案内部に当り、位置合せ用突起部が案内部に案内されて相手突起挿入部に挿入するようになって、一方のコネクタのセンターが他方のコネクタのセンターに一致する。このために、一方及び他方のコネクタの互いの結合を円滑に行うことができる。
【００４３】
また、本発明に係る電気コネクタによれば、低背の多極コネクタにシャッターを取り付けることができる。
【発明を実施するための最良の形態】
【００４４】
以下、本発明に係る電気コネクタの実地例を、図面に基づいて説明する。
【実施例１】
【００４５】
本発明の実地例１を図１乃至図１７に示す。
【００４６】
本発明の電気コネクタは多極コネクタである。そして、本発明の電気コネクタは、一方のコネクタであるレセプタクル１と、このレセプタクル１に係脱可能に結合する他方のコネクタであるプラグ２とより構成してある。
【００４７】
レセプタクル１は、図１に示すようにノート型パーソナルコンピュータのような携帯型情報処理装置（図示せず）の筐体Ａに装着してある。すなわち、この筐体Ａの底面部には長方形状の開口部Ａ−１が形成してあり、この開口部Ａ−１内の空間にレセプタクル１は配置してある。
【００４８】
また、プラグ２は、拡張用ハードディスクのようなＣＤ−ＲＯＭ装置（図示せず）に装着してある。すなわち、ＣＤ−ＲＯＭ装置の筐体Ｂの携帯型情報処理装置に接続される面には開口部Ｂ−１が形成してあり、この開口部Ｂ−１内の空間にプラグ２が配置してある。
【００４９】
レセプタクル１を図２乃至図８に示す。このレセプタクル１はコネクタ本体１Ａを備えており、このコネクタ本体１Ａの絶縁ハウジング３には、図７に示すように、その短手方向の中央で且つその長手方向に沿うようにして二列の端子列４、５が設けてある。これらの端子列４、５は、凸条からなる二列の端子保持部６のそれぞれの両面部に、絶縁ハウジング３の長手方向に沿って多数の信号端子７Ａと電源端子７Ｂとを配置して構成してあり、これらの信号端子７Ａのリード部７ａ及び電源端子７Ｂのリード部７ｂは絶縁ハウジング３の裏面部の外方に突出している。また、端子保持部６の長手方向の両端部には、図３に示すように、端子保持部６より突出するようにして位置合せ用突起部８が突設してある。
【００５０】
そして、図７に示すように、一方及び他方の端子列４、５間には中間の嵌合凹部１０Ａが形成してあり、一方の端子列４と絶縁ハウジング３の一方の側壁部３Ｂとの間には一方端の嵌合凹部１０Ｂが、他方の端子列５と絶縁ハウジング３の他方の側壁部３Ｃとの間には他方端の嵌合凹部１０Ｃとがそれぞれ形成してあって、中間の嵌合凹部１０Ａと一方端の嵌合凹部１０Ｂと他方端の嵌合凹部１０Ｃとで、相手コネクタ嵌合部であるプラグ嵌合部１０が構成してある。
【００５１】
また、絶縁ハウジング３には、端子保持部６の両端方に位置させてガイド貫通孔部９が形成してある。また、図１、図６に示すように、絶縁ハウジング３の端壁部３Ｄ、３Ｅには、その中心に位置させて内側ストッパ１１Ａが、また、その両側に位置させて外側ストッパ１１Ｂがそれぞれ設けてある。また、内側ストッパ１１Ａを挟んだ両側に位置させて支軸部１２が配置してあり、更に、内側ストッパ１１Ａの基部には外方に突出させてばね保持部１３が突設してある。
【００５２】
また、図５に示すように、絶縁ハウジング３の周側壁部には導電性を有する板状のシールド部材１４が被せてあり、図８に示すように、このシールド部材１４の接触面部１４Ａが一方及び他方の嵌合凹部１０Ｂ、１０Ｃ内に挿入してある。
【００５３】
また、図４に示すように、コネクタ本体１Ａにはシャッター１５が装着してある。このシャッター１５は、導電性の材料、例えば金属材で作成された一対のシャッター部材１６、１７と、コイル状ばねであるばね部材１８とを備えている。
【００５４】
一方のシャッター部材１６は、絶縁ハウジング３の一方の嵌合凹部１０Ｂと一方の端子列４を覆うに足りる長方形状のシャッター部１９を有しており、このシャッター部１９の内側辺部１９ｂの端側は折曲部１９ｄにしてある。
【００５５】
シャッター部１９の内側辺部１９ｂには、その長手方向の両端側に位置させて第１の摺接部２０と第２の摺接部２１とが設けてある。第１の摺接部２０は、シャッター部１９の内側辺部１９ｂに、一対の切込み２２を入れて形成された舌片部２３を有していて、この舌片部２３の端側は折曲げて折曲部２３ａにしてあり、この舌片部２３の縁が摺接点ロにしてある。
【００５６】
第２の摺接部２１は、第１の摺接部２０より外方に位置する内側辺部１９ｂの折曲部１９ｄで構成してあり、この折曲部１９ｄの縁が摺接点ハにしてあり、しかも、第１の摺接部２０の摺接点ロは第２の摺接部２１の摺接点ハよりもシャッター中心イに対して離れている。
【００５７】
また、図１、図６に示すように、一方のシャッター部材１６は、その長手方向の両端部には、面部１９ａに対して略直角を成すアーム部２４が形成してあり、このアーム部２４の先部には軸孔部２４Ａが設けてあり、アーム部２４の内縁部の中間部にはアーム側ストッパ部２４Ｂが突設してあり、また、アーム部２４の外縁部の中間部にはばね係止部２４Ｃが突設してある。
【００５８】
他方のシャッター部材１７は、一方のシャッター部材１６に対して面対称であるために、同じ部位については同じ符号を付して説明を省略する。
【００５９】
そして、一方のシャッター部材１６は、それぞれのアーム部２４の軸孔部２４Ａに一方の支軸部１２を回転可能に挿入された状態で、絶縁ハウジング３の端壁部３Ｄ、３Ｅに回動可能に保持されており、また、他方のシャッター部材１７は、それぞれのアーム部２４の軸孔部２４Ａに他方の支軸部１７を回転可能に挿入された状態で、絶縁ハウジング３の端壁部３Ｄ、３Ｅに回動可能に保持されている。
【００６０】
そして、一方のシャッター部材１６のばね係止部２４Ｃには、ばね部材１８の一端部が係止してあり、また、他方のシャッター部材１７のばね係止部２４Ｃにはばね部材１８の他端部が係止してあって、このばね部材１８の引張力により一方及び他方のシャッター部材１６、１７は互いに内方に引かれていて、アーム側ストッパ部２４Ｂがストッパ１１Ａに当接し、両シャッター部材１６、１７は、それぞれの折曲部１９ｄの端部を近接させた状態で閉じている。この場合、ばね部材１８の中央部はばね保持部１３に受けられている。
【００６１】
この閉じた状態では、一方のシャッター部材１６の折曲部１９ｄは、他方のシャッター部材１７の折曲部１９ｄに対向していて、第２の摺接部２１の摺接点ハは所定の間隔Ｘ２をおいて互いに対向しているし、また、第１の摺接部２０の摺接点ロは、所定の間隔Ｘ１（Ｘ１＞Ｘ２）をおいて対向している。そして、シャッター部材１６、１７は、シールド部材１４に接触していてプラグ嵌合部１０を覆っている（図４参照）。
【００６２】
このように構成されたレセプタクル１は、図１に示すように携帯型情報処理装置の筐体Ａ内において、プリント基板Ｐｌに実装されている。この場合、図３に示すように、プリント基板Ｐｌには、ガイド貫通孔部９より小さい開口部Ｐ１−１が形成してあって、この開口部Ｐ１−１がガイド貫通孔部９に重なっており、開口部Ｐ１−１以外の部分がガイド貫通孔部９のほぼ半分を覆っていて、このガイド貫通孔部９を覆う部分がストッパ９−１を構成している。
【００６３】
プラグ２を図９乃至図１５に示す。プラグ２は、ベース３０と、プラグ本体（コネクタ本体）３１と、第１、第２の押開きガイド３２、４３と、ばね部材３３とを備えており、ベース３０の上面部には、その長手方向の両端部にばね受け部３４と一対の係止ピン３５とがそれぞれ設けてある（図１０参照）。
【００６４】
プラグ本体３１は、図１４及び図１５に示すように、その長方形状の絶縁ハウジング３６を有しており、この絶縁ハウジング３６の表面には、その長手方向に沿って二列の相手端子挿入凹部３７、３８が設けてあり、これらの相手端子挿入凹部３７、３８の両側面には、図１１に示すように絶縁ハウジング３６の長手方向に沿って多数の信号端子４０Ａと電源端子４０Ｂとが配置してあり、これらの信号端子４０Ａのリード部４０ａ及び電源端子４０Ｂのリード部４０ｂは絶縁ハウジング３６の基部３６Ｆの裏面部より外方に突出している。
【００６５】
また、図１４に示すように、相手端子挿入凹部３７、３８の長手方向の両端には相手突起挿入部４２が形成してあり、これらの相手突起挿入部４２の縁部には傾斜面からなる案内部４２Ａが形成してある。
【００６６】
また、絶縁ハウジング３６の表面部の長手方向の両端部には、第２の押開きガイド４３が形成してあり、これらの第２の押開きガイド４３の先端部は、図１３に示すように山形状にしてあって、頂部４３Ａと、この頂部４３Ａを挟んで互いに逆向きの傾斜ガイド面部４３Ｂ、４３Ｃとを有しており、傾斜ガイド面部４３Ｂ、４３Ｃの傾斜角度はφ、−φにしてある。また、図１４に示すように、第２の押開きガイド４３には、センター合せガイド４３−１が形成してある。
【００６７】
また、絶縁ハウジング３６の長手方向の両端部には、第２の押開きガイド４３の内側方に位置させてガイド摺動孔部４４が形成してある。これらのガイド摺動孔部４４は、図１４に示すように、その外側面部にストッパ面部４４Ａを有しており、また、その内側面部にガイド溝部４４Ｂを有していて、ガイド溝部４４Ｂの端面４４Ｃがストッパ面部４４Ａと同じ高さに位置している。
【００６８】
また、絶縁ハウジング３６の基部３６Ｆの外面部及び絶縁ハウジング３６の外周面部には導電性を有する板状のシールド部材４５が配置してある。このシールド部材４５には、
レセプタクル１とプラグ２との結合時に、レセプタクル１側のシールド部材１４の接触面部１４Ａに接触する接点４５Ａが設けてある。
【００６９】
一対の第１の押開きガイド３２は、図１０に示すように、板ブロック形状の部材本体３２Ａを有しており、この部材本体３２Ａの先側にガイド部４６が形成してある。このガイド部４６は、図１３に示すように山形形状であって、頂部４６Ａと、頂部４６Ａを挟んだ互いに逆向きの傾斜ガイド面部４６Ｂ、４６Ｃとを有しており、傾斜ガイド面部４６Ｂ、４６Ｃの傾斜角度σ、−σは、上記した第２の押開きガイド４３の傾斜ガイド面部４３Ｂ、４３Ｃの傾斜角度φ、−φより大きくしてある。
【００７０】
また、部材本体３２Ａの内面部にはガイド突起部４７が突設してあり、部材本体３２Ａの外面部にはストッパ部４８が突設してあり、また、部材本体３２Ａの基端面部にはばね保持突起部４９が突設してある。
【００７１】
そして、図１４に示すように、一対のガイド摺動孔部４４に、それぞれ第１の押開きガイド３２を挿入して、ガイド突起部４７をガイド溝部４４Ｂに摺動可能に挿入し、ベース３０のばね受け部３４と、第１の押開きガイド３２のばね保持突起部４９とでばね部材３３の両端部を支えた状態で、プラグ本体３１をベース３０に押し付けてベース３０の係止ピン３５を絶縁ハウジング３６の基部３６Ｆの裏面に形成した係止孔（図示せず）に挿入係止することでプラグ２が構成してある。
【００７２】
この場合、第１の押開きガイド３２がばね部材３３の付勢力で持ち上げられてストッパ部４８がガイド摺動孔部４４のストッパ面部４４Ａに衝接し、また、ガイド突起部４７がガイド溝部４４Ｂの端面４４Ｃに衝接していて、第１の押開きガイド３２の先側のガイド部４６がガイド摺動孔部４４の開口部より外方に突出している。したがって、第１の押開きガイド３２のガイド部４６は第２の押開きガイド４３に並んだ状態であって、この第２の押開きガイド４３より高い位置に突出している。そして、第１の押開きガイド３２と第２の押開きガイド４３とでシャッター開放手段が構成してある。
【００７３】
また、信号端子４０Ａのリード部４０ａ及び電源端子４０Ｂのリード部４０ｂはベース３０を貫通した状態で、このベース３０の裏面部より外方に突出している。
【００７４】
このように構成されたプラグ２はＣＤ−ＲＯＭ装置の筐体Ｂ内において、図１及び図９に示すようにプリント基板Ｐ２に実装されており、プラグ２は、この筐体Ｂの開口部Ｂ−１内の空間に配置してある。
【００７５】
次に、上記のように構成されたレセプタクル１とプラグ２との結合及びこの結合の解除を説明する。
【００７６】
ＣＤ−ＲＯＭ装置に携帯型情報処理装置を結合させる場合には、レセプタクルｌをプラグ２に結合させることで行われる。すなわち、携帯型情報処理装置をＣＤ−ＲＯＭ装置に載せるように、この携帯型情報処理装置をＣＤ−ＲＯＭ装置に近付けると、図１６−１、図１６−２に示すように、プラグ２の第１の押開きガイド３２の先端部が、レセプタクル１に設けたシャッター部材１６、１７のそれぞれの第１の摺接部２０間に挿入される。
【００７７】
次に、図１６−２に示すように、第１の押開きガイド３２の傾斜ガイド面部４６Ｂ、４６Ｃがシャッター部材１６、１７の第１の摺接部２０の摺接点ロに摺接して、ばね部材１８（図１６−２では図示していない）の引張力に抗してシャッター部材１６、１７がそれぞれに押し開かれて、シャッター部材１６、１７は支軸部１２を支点にして外方に回動する。
【００７８】
すなわち、第１の押開きガイド３２の傾斜ガイド面部４６Ｂ、４６Ｃが第１の摺接部２０の摺接点ロに接触した時点で、図１６−２に示すように、傾斜ガイド面部４６Ｂ、４６Ｃに垂直な方向に作用力Ｆ１が発生する。この作用力Ｆ１のベクトルは支軸部１２より外方に距離Ｚ１だけ離れた位置にあるために、作用力Ｆ１と距離Ｚ１との積である回転モーメントＭ１が支軸部１２を中心に発生してシャッター部材１６、１７がそれぞれに押し開かれて、シャッター部材１６、１７は支軸部１２を支点にして外方に回動し、所定の開度（小さい開度）となる。
【００７９】
次に、第１の押開きガイド３２がレセプタクル１のガイド貫通孔部９に貫入し、図１６−３に示すように第１の押開きガイド３２の傾斜ガイド面部４６Ｂ、４６Ｃが第１の摺接部２０に接触している間に、プラグ２の第２の押開きガイド４３の傾斜ガイド面部４３Ｂ、４３Ｃがシャッター部材１６、１７の第２の摺接部２１の摺接点ハに摺接する。
【００８０】
すなわち、傾斜ガイド面部４３Ｂ、４３Ｃが第２の摺接部２１の摺接点ハに接触した時点で、傾斜ガイド面部４３Ｂ、４３Ｃに垂直な方向に作用力Ｆ２が発生する。この作用力Ｆ２のベクトルは支軸部１２より外方に距離Ｚ２だけ離れた位置にあるために、作用力Ｆ２と距離Ｚ２との積である回転モーメントＭ２（回転モーメントＭ１とは異なる）が支軸部１２を中心に発生して、ばね部材１８の引張力に抗して、更にシャッター部材１６、１７が、それぞれに押し開かれて、シャッター部材１６、１７は支軸部１２を支点にして外方に回動して、上記した小さい開度より大きい開度として、シャッター部材１６、１７がレセプタクル１のプラグ嵌合部１０を開放する。この場合、シャッター部材１６、１７が外側ストッパ１１Ｂに接するとともに、ばね部材１８は、その中間部がばね保持部１３により保持されているために、シャッター部材１６、１７は互いに内方に引かれてシャッター部材１６、１７の開動作時のばね部材１８の反転が防がれる。
【００８１】
次に、図１６−４、図１６−５に示すように、第１の押開きガイド３２及び第２の押開きガイド４３がレセプタクル１のガイド貫通孔部９に貫入して、この第１の押開きガイド３２の先側のガイド部４６が、プリント基板Ｐ１が形成するストッパ９−１に接触する。そして、プラグ２がレセプタクル１のプラグ嵌合部１０に嵌合して、レセプタクル１の端子保持部６が相手端子挿入凹部３７、３８に挿入される。この場合、ばね部材３３は圧縮されて第１の押開きガイド３２はガイド貫通孔部９内に止まるが、第２の押開きガイド４３の先部はプリント基板Ｐ１の開口部Ｐ１−１より外方に突出する。
【００８２】
このために、レセプタクル１の信号端子７Ａ及び電源端子７Ｂがプラグ２の信号端子４０Ａ及び電源端子４０Ｂに接触すると共に、レセプタクル１のシールド部材１４の接触部１４Ａがプラグ２のシールド部材４５の接触部４５Ａに接触してレセプタクル１がプラグ２に結合される。
【００８３】
なお、プラグ２がレセプタクル１のプラグ嵌合部１０に嵌合する際に、図１７−１に示すように、レセプタクル１のセンターＳ１がプラグ２のセンターＳ２より左方にＸだけずれていても、図１７−２、図１７−３に示すように、レセプタクル１の第２の押開きガイド４３のセンター合せガイド４３−１がプラグ２の絶縁ハウジング３の側壁部３Ａ、３Ｂに当たり、そして、レセプタクル１の位置合せ用突起部８に、プラグ２の相手突起挿入部４２の案内部４２Ａに当り、位置合せ用突起部８が案内部４２Ａに案内されて相手突起挿入部４２に挿入するようになって、レセプタクル１のセンターＳ１がプラグ２のセンターＳ２に一致する。
【００８４】
ＣＤ−ＲＯＭ装置から携帯型情報処理装置を切り離す場合には、レセプタクル１をプラグ２から外すことで行われる。すなわち、携帯型情報処理装置をＣＤ−ＲＯＭ装置に対して持ち上げると、第１の押開きガイド３２及び第２の押開きガイド４３がレセプタクル１のガイド貫通孔部９から抜け出し、プラグ２がレセプタクル１のプラグ嵌合部１０から抜け出すと共に、レセプタクル１の信号保持部６が相手端子挿入凹部３７、３８から抜け出す。
【００８５】
このために、両信号端子７Ａ、４０Ａの接触及び両電源端子７Ｂ、４０Ｂの接触が解除されると共に、両シールド部材１４、４５の接触が解除されてレセプタクル１とプラグ２との結合が解除される。
【００８６】
この場合、第２の押開きガイド４３の傾斜ガイド面部４３Ｂ、４３Ｃがシャッター部材１６、１７の第２の摺接部２１に摺接しながら抜け出し、次に、第１の押開きガイド３２の傾斜ガイド面部４６Ｂ、４６Ｃがシャッター部材１６、１７の第１の摺接部２０に摺接しながら抜け出す。このために、ばね部材１８の引張力によりシャッター部材１６、１７が、支軸部１２を支点にして内方に回動してシャッター部材１６、１７が閉じてレセプタクル１のプラグ嵌合部１０が覆われる。この時、ばね部材１８の引張力により一方及び他方のシャッター部材１６、１７は互いに内方に引かれていて、アーム側ストッパ部２４Ｂがストッパ１１Ａに当接するために、常に正規の位置に位置決めされるようになる。
【００８７】
上記した本発明の実施例１によれば、第１の摺接部２０は、シャッター部１９の内側辺部１９ｂに、一対の切込み２２を入れて形成された舌片部２３の先端部を摺接点ロにして構成してあり、第２の摺接部２１は、内側辺部１９ｂの端側を折曲げて、この折曲部１９ｄを摺接点ハにして構成してあって、第２の摺接部２１の摺接点ハは第１の摺接部２０の摺接点ロよりもシャッター中心イ側に位置しており、第１、第２の押開きガイド３２、４３の先端部は山形状にしてあって、それぞれに頂部４６Ａ、４３Ａと、頂部４６Ａ、４３Ａを挟んで互いに逆向きの傾斜ガイド面部４６Ｂ、４６Ｃ、４３Ｂ、４３Ｃとを有していて、第１の押開きガイド３２の傾斜ガイド面部４６Ｂ、４６Ｃの傾斜角度σ、−σは、第２の押開きガイド４３の傾斜ガイド面部４３Ｂ、４３Ｃの傾斜角度φ、−φより大きくしてあり、第１の押開きガイド３２の傾斜ガイド面部４６Ｂ、４６Ｃが第１の摺接部２０の摺接点ロに接触した時点で、傾斜ガイド面部４６Ｂ、４６Ｃに垂直な方向に発生した作用力Ｆ１による回転モーメントＭ１が、一対のシャッター部材１６、１７を、その回動中心を支点にしてシャッター中心イとは反対側に回動させ、第２の押開きガイド４３の傾斜ガイド面部４３Ｂ、４３Ｃが第２の摺接部２１の摺接点ハに接触した時点で、傾斜ガイド面部４３Ｂ、４３Ｃに垂直な方向に発生した作用力Ｆ２による回転モーメントＭ２が、一対のシャッター部材１６、１７を、その回動中心を支点にしてシャッター中心イとは反対側に回動させるものである。
【００８８】
このように、第１の押開きガイド３２の傾斜ガイド面部４６Ｂ、４６Ｃが第１の摺接部２０の摺接点ロに接触することで発生する回転モーメントＭ１が、一対のシャッター部材１６、１７を回動させて所定の開度に開き、次に、第２の押開きガイド４３の傾斜ガイド面部４３Ｂ、４３Ｃが第２の摺接部２１の摺接点ハに接触することで発生する回転モーメントＭ２が、一対のシャッター部材１６、１７を回動させて更に開度を広げてプラグ嵌合部１０を解放することができる。このために、コネクタ本体１Ａが、低背で且つ復数の端子列を有する、幅寸法の広いものであっても、容易に開閉できるシャッターを装着することができる。
【００８９】
また、上記した本発明の実施例１によれば、プラグ２の長手方向の両端部には、第２の押開きガイド４３が突設してあり、プラグ２の長手方向の両端部には、第２の押開きガイド４３に並べてガイド摺動孔部４４が形成してあり、このガイド摺動孔部４４に第１の押開きガイド３２が摺動可能に挿入してあって、第１の押開きガイド３２はばね部材３３により付勢されていて、その先部を第２の押開きガイド４３より外方に突出させているものである。
【００９０】
したがって、第１の押開きガイド３２がガイド貫通孔部９に貫入して、この第１の押開きガイド３２の先側が、ストッパ９−１に接触して、プラグ２がプラグ嵌合部１０に嵌合される場合、ばね部材３３は圧縮されて第１の押開きガイド３２はガイド貫通孔部９内に止まるようになる。このために、プリント基板Ｐ１に第１の押開きガイド３２が貫通する切欠き等を形成する必要がなくなる。
【００９１】
また、上記した本発明の実施例１によれば、プラグ２がプラグ嵌合部１０に嵌合する際に、レセプタクル１のセンターＳ１がプラグ２のセンターＳ２よりコネクタの長手方向に多少ずれていても、レセプタクル１の第２の押開きガイド４３のセンター合せガイド４３−１がプラグ２の絶縁ハウジング３の側壁部３Ａ、３Ｂに当たり、そして、位置合せ用突起部８が案内部４２Ａに当り、位置合せ用突起部４が案内部４２Ａに案内されて相手突起挿入部４２に挿入するようになって、レセプタクル１のセンターＳ１がプラグ２のセンターＳ２に一致する。このために、レセプタクル１とプラグ２の互いの結合を円滑に行うことができる。
【実施例２】
【００９２】
次に、本発明に係る電気コネクタの実施例２を図１８及び図１９に示す。
【００９３】
本発明に係る電気コネクタの実施例２が、上記した実施例１と異なるところは、第１の押開きガイド３２と第２の押開きガイド４３との構成である。すなわち、第１の押開きガイド３２と第２の押開きガイド４３とは一体になって押開きガイドユニットＵを構成しており、プラグ２の絶縁ハウジング３６の長手方向の両端部にはガイドユニット摺動凹部４４−１が形成してある。
【００９４】
そして、このガイドユニット摺動凹部４４−１に押開きガイドユニットＵが摺動可能に挿入してあって、この押開きガイドユニットＵは、第１及び第２の押開きガイド３２、４３のそれぞれの先部をガイドユニット摺動凹部４４−１から外方に突出させた状態で、ばね部材３３−１により保持されている。この場合、絶縁ハウジング３６の外周部はシールド部材４５で覆われるために、ガイドユニット摺動凹部４４−１の両側はシールド部材４５で塞がれることになる。そして、他の構成は上記した実施例１の構成と同じであるために、同じ符号を付して説明を省略する。なお、レセプタクル１の絶縁ハウジング３に形成されたガイド貫通孔部９は、押開きガイドユニットＵが貫入されるように加工されている。
【００９５】
したがって、押開きガイドユニットＵがガイド貫通孔部９に貫入して、第１の押開きガイド３２の先側が、プリント基板Ｐ１が形成するストッパ９−１に接触して、プラグ２がプラグ嵌合部１０に嵌合される場合、ばね部材３３−１は圧縮されて押開きガイドユニットＵはガイドユニット摺動孔部４４−１内に止まるようになる。このために、プリント基板Ｐ１に押開きガイドユニットＵが貫通する切欠き等を形成する必要がなくなる。
【産業上の利用可能性】
【００９６】
本発明に係る電気コネクタは、一対のシャッター部材をシャッター開放手段で開く場合に、小さい開度から大きい開度に複数段階に分けて押し開らくことができるために、コネクタ本体が、低背で且つ復数の端子列を有する幅寸法の広いものであっても、相手コネクタ嵌合部を覆い且つ容易に開閉できるシャッターを装着することができるという効果を有しており、ノート型パーソナルコンピュータのような携帯型情報処理装置等を拡張用ハードディスクのようなＣＤ−ＲＯＭ装置等に接続するための多極コネクタ等に有用である。
【図面の簡単な説明】
【００９７】
【図１】本発明に係る電気コネクタの実施例１の構成説明図である。
【図２】同電気コネクタにおけるレセプタクルをプリント基板に実装した状態の斜視図である。
【図３】同レセプタクルをプリント基板に実装し且つシャッターを除いた状態の断面図である。
【図４】同電気コネクタにおけるレセプタクルの平面図である。
【図５】同レセプタクルの側面図である。
【図６】同レセプタクルの端面図である。
【図７】同レセプタクルにおいてシャッターを除いた状態の平面図である。
【図８】図４のＣ−Ｃ線に沿う断面図である。
【図９】同電気コネクタにおけるプラグをプリント基板に実装した状態の斜視図である。
【図１０】同プラグの分解状態の斜視図である。
【図１１】同プラグの平面図である。
【図１２】同プラグの側面図である。
【図１３】同プラグの端面図である。
【図１４】図１１のＤ−Ｄ線に沿う断面図である。
【図１５】図１１のＥ−Ｅ線に沿う断面図である。
【図１６−１】プラグとレセプタクルとの結合のための工程説明図である。
【図１６−２】プラグとレセプタクルとの結合のための工程説明図である。
【図１６−３】プラグとレセプタクルとの結合のための工程説明図である。
【図１６−４】プラグとレセプタクルとの結合のための工程説明図である。
【図１６−５】プラグとレセプタクルとの結合のための工程説明図である。
【図１７−１】レセプタクル及びプラグのセンターが不一致の場合におけるセンターを一致させる工程を示す説明図である。
【図１７−２】レセプタクル及びプラグのセンターが不一致の場合におけるセンターを一致させる工程を示す説明図である。
【図１７−３】レセプタクル及びプラグのセンターが不一致の場合におけるセンターを一致させる工程を示す説明図である。
【図１８】本発明に係る電気コネクタの実施例２におけるプラグの一部省略した側面図である。
【図１９】同プラグにおいてシールド部材を除いた状態の一部省略した側面図である。
【図２０】従来の電気コネクタの構成説明図である。
【符号の説明】
【００９８】
１      レセプタクル（一方のコネクタ）
１Ａ    コネクタ本体
２      プラグ（他方のコネクタ）
３      絶縁ハウジング
４      端子列
５      端子列
６      端子保持部
８      位置合せ用突起部
９      ガイド貫通孔部
９−１  ストッパ
１０    プラグ嵌合部（相手コネクタ嵌合部）
１１Ａ    内側ストッパ
１１Ｂ    外側ストッパ
１２      支軸部
１３      ばね保持部
１４      シールド部材
１５      シャッター
１６      シャッター部材
１７      シャッター部材
１８      ばね部材
１９      シャッター部
１９ｂ    内側辺部
１９ｄ    折曲部
２０      第１の摺接部
２１      第２の摺接部
２２      切込み
２３      舌片部
２３ａ    折曲部
２４      アーム部
２４Ａ    軸孔部
２４Ｂ    アーム側ストッパ部
２４Ｃ    ばね係止部
３０      ベース
３１      プラグ本体（コネクタ本体）
３２      第１の押開きガイド
４２      相手突起挿入部
４２Ａ    案内部
４３      第２の押開きガイド
４３−１  センター合せガイド
４３Ａ    頂部
４３Ｂ    傾斜ガイド面部
４３Ｃ    傾斜ガイド面部
４４      ガイド摺動孔部
４４−１  ガイドユニット摺動凹部
４６Ａ    頂部
４６Ｂ    傾斜ガイド面部
４６Ｃ    傾斜ガイド面部
イ        シャッター中心
ロ        摺接点
ハ        摺接点
Ｕ        押開きガイドユニット
【図１】
2006049081.tif 000003
【図２】
2006049081.tif 000004
【図３】
2006049081.tif 000005
【図４】
2006049081.tif 000006
【図５】
2006049081.tif 000007
【図６】
2006049081.tif 000008
【図７】
2006049081.tif 000009
【図８】
2006049081.tif 000010
【図９】
2006049081.tif 000011
【図１０】
2006049081.tif 000012
【図１１】
2006049081.tif 000013
【図１２】
2006049081.tif 000014
【図１３】
2006049081.tif 000015
【図１４】
2006049081.tif 000016
【図１５】
2006049081.tif 000017
【図１６−１】
2006049081.tif 000018
【図１６−２】
2006049081.tif 000019
【図１６−３】
2006049081.tif 000020
【図１６−４】
2006049081.tif 000021
【図１６−５】
2006049081.tif 000022
【図１７−１】
2006049081.tif 000023
【図１７−２】
2006049081.tif 000024
【図１７−３】
2006049081.tif 000025
【図１８】
2006049081.tif 000026
【図１９】
2006049081.tif 000027
【図２０】
2006049081.tif 000028